(57)【要約】      （修正有）【課題】新品であっても、衝撃吸収材が厚く内蔵されたものであっても、その開閉がスムーズにできる上、ボールが一旦捕らえられたらそこから抜け出ることを抑制することもできる野球用グローブを提供する。【解決手段】手掌部２１１と指部２１２とを有する手の形状に、該手掌部の末端に手を入れる開口２３が形成され、その表面で捕球をする捕球層２１と、その裏面が該捕球層の裏面と対向して、使用者の手の甲を覆って保護する甲部層２２とから接合されてなった野球用グローブ２において、前記捕球層の表面には、前記手掌部に対応する区域に、保持リブ２１３が、該表面から少なくとも前記指部の方へ開口した開ループ状になるように突出している。【選択図】図１
0003129994.tif 000002
【実用新案登録請求の範囲】
【請求項１】
手掌部と指部とを有する手の形状に、該手掌部の末端に手を入れる開口が形成され、その表面で捕球をする捕球層と、その裏面が該捕球層の裏面と対向して使用者の手の甲を覆って保護する甲部層とから接合されてなった野球用グローブにおいて、
前記捕球層の表面には、前記手掌部に対応する区域に、保持リブが、該表面から少なくとも前記指部の方へ開口した開ループ状になるように突出していることを特徴とする野球用グローブ。
【請求項２】
手掌部と指部とを有する手の形状に、該手掌部の末端に手を入れる開口が形成され、その表面で捕球をする捕球層と、その裏面が該捕球層の裏面と対向して使用者の手の甲を覆って保護する甲部層とから接合されてなった野球用グローブにおいて、
前記捕球層の表面には、前記手掌部に対応する区域に、保持リブが、該表面から、少なくとも前記指部の方へ開口し、開ループ状になるように突出しているとともに、前記捕球層が緊縮されることを特徴とする野球用グローブ。
【請求項３】
前記保持リブの前記開ループは、ボールの周囲の少なくとも一部から抱えることができる弧状になっていることを特徴とする、請求項１に記載の野球用グローブ。
【請求項４】
前記保持リブの前記開ループは、前記指部の方だけへ開口したものになっていることを特徴とする、請求項１に記載の野球用グローブ。
【請求項５】
前記保持リブの前記開ループは、略半円周状になっていることを特徴とする請求項１に記載の野球用グローブ。
【請求項６】
前記保持リブの前記開ループは、前記指部の方へ開口している第１の保持リブと、前記手を入れる開口の方へ開口している第２の保持リブとにより形成されていることを特徴とする、請求項１に記載の野球用グローブ。
【請求項７】
前記保持リブの開ループ形は、前記指部の方へ開口した略半円形弧状となるように、間隔をおいて３個所配置されていることを特徴とする、請求項１に記載の野球用グローブ。
【請求項８】
前記甲部層の表面には、また、補強リブが形成してあることを特徴とする請求項１〜７のいずか一項に記載の野球用グローブ。
【請求項９】
前記補強リブは、前記手掌部の、使用者の親指近傍から人差し指近傍まで略台形状に互いに平行に３個所設けられていることを特徴とする、請求項８に記載の野球用グローブ。
【請求項１０】
前記補強リブは、更に、前記手掌部の、使用者の手首近傍に人差し指の側から小指の側へも略楕円状に互いに平行に３個所設けられていることを特徴とする、請求項９に記載側の野球用グローブ。
【考案の詳細な説明】
【技術分野】
【０００１】
本考案は、野球で捕球をするために使用される野球用グローブに関する。
【背景技術】
【０００２】
従来の野球用グローブは、五指型であれ親指以外の４指が一体になった二指型であれ、通常は、図６に示すように、手掌部１４と指部１５とを有する手の形状に、該手掌部１４の末端に手を入れる開口１３が形成され、その表面で捕球をする捕球層１１と、その裏面が該捕球層１１の裏面と対向して使用者の手の甲を覆って保護する甲部層１２とから接合されてなったものである。また、前記捕球層１１は、皮革製の表面と裏面との間に衝撃吸収材が充填されているのが一般的である。
【０００３】
ところが、現在では、前記グローブは、緩衝の機能を一層上昇させるために前記衝撃吸収材が厚く充填されるようになって来た。このようなグローブを使用する時、ボールによる衝撃を効果的に緩和することができるが、厚い衝撃吸収材のせいで、グローブ全体が硬直になってスムーズに屈曲できないため、開閉が手の指によりコントロールされ難くなり、捕球動作がすばやく行われず、ボールを取り落してしまう欠点がある。
【０００４】
更に、前記グローブでは、捕球層１１の表面が硬直で捕球時にスムーズに屈曲できないので、ボールが一旦捕らえられても、そこから抜け出ることがよくある。
【考案の開示】
【考案が解決しようとする課題】
【０００５】
本考案は、前記問題点に鑑みてなされたものであり、即ち、新品であっても、衝撃吸収材が厚く内蔵されたものであっても、その開閉がコントロールされ易い、つまりスムーズに屈曲することができる上、ボールが一旦捕らえられたらそこから抜け出ることを抑制することもできる野球用グローブを提供することを目的とする。
【課題を解決するための手段】
【０００６】
前記目的を達成するために、本考案は、手掌部と指部とを有する手の形状に、該手掌部の末端に手を入れる開口が形成され、その表面で捕球をする捕球層と、その裏面が該捕球層の裏面と対向して使用者の手の甲を覆って保護する甲部層とから接合されてなった野球用グローブにおいて、前記捕球層の表面には、前記手掌部に対応する区域に、保持リブが、該表面から少なくとも前記指部の方へ開口した開ループ状になるように突出していることを特徴とする野球用グローブを提供する。
【０００７】
また、前記保持リブの開ループ形は、ボールの外形に応じてそれを周りの少なくとも一部から抱えることができる弧状になっていることが好ましい。
【考案の効果】
【０００８】
前記構成による野球用グローブでは、保持リブの前記指部の方へ開口した開ループは、周りの前記捕球層を内の方へ引っ張ってループ内を窪ませる傾向があるようになっているため、新品または衝撃吸収材が厚く内蔵されたグローブにもかかわらず、前記のような保持リブに沿ってグローブを屈曲させ易くなり、使用者に捕球動作をすばやく、着実に行わせることができる。
【０００９】
また、ボールの外形に応じて、それを周りの少なくとも一部から抱えることができるた開ループ形や弧状になっている保持リブにより、ボールが一旦捕らえられたらグローブから抜け出ることを抑制することができ、より一層捕球ミスを防ぐことができる。
【考案を実施するための最良の形態】
【００１０】
以下、五指型だけを例として本考案の野球用グローブの実施形態を説明する。
まず、第１実施形態の野球用グローブを説明する。図１は、この実施形態の野球用グローブの捕球層側から見た斜視図である。図２は、図１の野球用グローブの側面から見た側面図である。図３は、図１の野球用グローブの甲部層側から見た斜視図である。
【００１１】
図示のように、第１実施形態の野球用グローブ２は、手掌部２１１と指部２１２とを有する手の形状に、該手掌部２１１の末端に手を入れる開口２３が形成され、その表面で捕球をする捕球層２１と、その裏面が該捕球層２１の裏面と対向して使用者の手の甲を覆って保護する甲部層２２とから接合されてなったものである。また、前記捕球層２１は、一般のものと同じように、皮革製の表面と裏面との間に衝撃吸収材が充填されてなる。
【００１２】
また、捕球層２１の表面には、手掌部２１１に対応する区域に、保持リブ２１３が、エンボス加工により、該表面から少なくとも指部２１２の方へ開口した開ループになるように突出している。
【００１３】
図１に示すように、この実施形態において、前記保持リブ２１３の開ループは、指部２１２の方だけへ開口し、且つその円弧がボールの外形に応じて捕球時にそれを抱えることができるサイズになった略半円周状になっている一本型である。
【００１４】
前記のようになっている保持リブ２１３は、左右両側及び開口２３の方の三方の捕球層２１を内の方へ引っ張って半円形内を窪ませる効果があるので、新品または衝撃吸収材が厚く内蔵されたグローブにもかかわらず、保持リブ２１３に沿ってグローブを屈曲させ易くなり、使用者に捕球動作をすばやく、着実に行わせることができる上、一旦捕らえたボールを前記三方から確実に抱え、グローブから抜け出ることを抑制することができる。
【００１５】
なお、図示のように、前記のような保持リブ２１３は、その周縁に沿って縫われ、形が固定されている（図１における点線で示す縫い目２１４参照）。縫い方により、例えば保持リブ２１３の周縁に沿いながら、縫い糸が該周縁の両側を跨っている縫い目になれば、保持リブ２１３の形の固定だけでなく、構造の強化をも達成することができる。
【００１６】
更に、甲部層２２の表面には、また、複数の補強リブ２２１が形成してある。複数の補強リブ２２１は、それぞれ手掌部２１１の、使用者の親指近傍から人差し指近傍まで略台形状に互いに平行に３個所設けられている（図２参照）。さらに、手掌部２１１の、使用者の手首近傍に、人差し指の側から小指の側へも略楕円状に互いに平行に３個所設けられている（図３参照）。
【００１７】
なお、甲部層２２の、前記のような補強リブ２２１となった部分は、保持リブ２１３となった部分と同じように、固定及び強化を図るために、いずれも、その周縁に沿って縫われている（図２、図３における点線で示す縫い目２２２参照）。
【００１８】
次に、第２実施形態の野球用グローブを説明する。図４は、この実施形態の野球用グローブの捕球層側から見た斜視図である。
【００１９】
第２実施形態の野球用グローブ２Ａの構成は、ほぼ第１実施形態のものと同じだが、その相違点は、保持リブ２１３Ａの開ループ形は、指部２１２Ａの方へ開口している第１の保持リブと、手を入れる開口２３Aの方へ開口している第２の保持リブとから形成されていることにある。
【００２０】
このような保持リブ２１３Ａは、左右両側の捕球層２１Ａを内の方へ引っ張って二本のリブの間を窪ませる効果があるので、新品または衝撃吸収材が厚く内蔵されたグローブにもかかわらず、保持リブ２１３Ａに沿ってグローブを屈曲させ易くなり、使用者に捕球動作をすばやく、着実に行わせることができる上、一旦捕らえたボールを左右両側から確実に抱え、グローブから抜け出ることを抑制することができる。
【００２１】
そして、第３実施形態の野球用グローブを説明する。図５は、この実施形態の野球用グローブの捕球層側から見た斜視図である。
【００２２】
第３実施形態の野球用グローブ２Ｂの構成は、ほぼ第１実施形態のものと同じだが、その相違点は、保持リブ２１３Ｂの開ループ形は、指部２１２Ｂの方へ開口した略半円弧状になるように間隔をおいて配置されている三本型になっていることにある。
【００２３】
このような保持リブ２１３Ｂは、左右両側及び開口２３Ｂの方の三方の捕球層２１Ｂを内の方へ引っ張って略半円弧状内を窪ませる効果があるので、新品または衝撃吸収材が厚く内蔵されたグローブにもかかわらず、保持リブ２１３Ｂに沿ってグローブを屈曲させ易くなり、使用者に捕球動作をすばやくて着実に行わせることができる上、一旦捕らえたボールを前記三方から確実に抱え、グローブから抜け出ることを抑制することができる。
【００２４】
以上、本考案は前述実施形態に限定されるものではなく、本考案の要旨を逸脱しない範囲において種々の変形が可能である。例えば、保持リブは、ボールの外形に応じてそれを周りの少なくとも一部から抱えることができれば、その本数、位置、形状などがどのように配設されても良い。また、補強リブも同様に本数、位置、形状などが適当に配設されても良い。
【産業上の利用可能性】
【００２５】
前記実施形態で詳細に説明したように、本考案の野球用グローブによれば、新品または衝撃吸収材が厚く内蔵されたグローブにもかかわらず、グローブを屈曲させ易くなり、使用者に捕球動作をすばやく、着実に行わせることができるばかりでなく、ボールが一旦捕らえられたらグローブから抜け出ることを抑制することができ、より一層捕球ミスを防ぐことができる。
【図面の簡単な説明】
【００２６】
【図１】第１実施形態の野球用グローブの捕球層側から見た斜視図。
【図２】図１の野球用グローブの側面から見た側面図。
【図３】図１の野球用グローブの甲部層側から見た斜視図。
【図４】第２実施形態の野球用グローブの捕球層側から見た斜視図。
【図５】第３実施形態の野球用グローブの捕球層側から見た斜視図
【図６】従来の野球用グローブの一例の捕球層側から見た斜視図。
【符号の説明】
【００２７】
２、２Ａ、２Ｂ                野球用グローブ
２１、２１Ａ                  捕球層
２１１                        手掌部
２１２、２１２Ａ、２１２Ｂ    指部
２１３、２１３Ａ、２１３Ｂ    保持リブ
２１４、２２２                縫い目
２２、２２Ａ、２２Ｂ          甲部層
２２１                        補強リブ
２３、２３Ａ、２３Ｂ          開口
【図１】
0003129994.tif 000003
【図２】
0003129994.tif 000004
【図３】
0003129994.tif 000005
【図４】
0003129994.tif 000006
【図５】
0003129994.tif 000007
【図６】
0003129994.tif 000008